(57)【特許請求の範囲】
【請求項１】
開口部を開閉する金属製の開閉体の両端部をガイドするガイドレールと前記開閉体が収容される開閉体収容ケースとの連結部分に設けられて前記ガイドレールに引き続き前記開閉体の両端部をガイドする開閉装置のガイド手段において、
戸当たりを形成する一対の金属本体部と、前記金属本体部に取り付けられた樹脂カバー部材とを備え、
前記金属本体部が湾曲ガイド部を備え、前記湾曲ガイド部は、一端側が前記開閉体の表面より離れる方向に湾曲する湾曲表面と、前記湾曲表面より当該湾曲表面よりも前記開閉体の表面に近付く方向に突出する突出面とを備え、
前記樹脂カバー部材は、前記湾曲表面を覆うとともに前記開閉体の表面と前記突出面との接触を防止する接触防止部を備えたことを特徴とする開閉装置のガイド手段。
【請求項２】
前記金属本体部が前記ガイドレールの開閉体収容ケース側の一端を止める規制部を備え、前記樹脂カバー部材は、前記湾曲表面を覆う湾曲部と、前記湾曲部の湾曲方向一端側に設けられて前記湾曲表面の一端側において前記湾曲表面の湾曲裏面に係止する一方係止片と、前記湾曲部の湾曲方向他端側に設けられて前記規制部に係止する他方係止片とを備えたことを特徴とする請求項１に記載の開閉装置のガイド手段。
【請求項３】
前記樹脂カバー部材の前記湾曲部の他端と前記開閉体の表面との間の最大離間距離ａと前記規制部に係止する前記他方係止片の係止長さｂとの関係が、ａ＜ｂであることを特徴とする請求項２に記載の開閉装置のガイド手段。
【請求項４】
前記金属本体部の前記突出面は、前記規制部よりも前記ガイドレール側に延長する延長部を備え、前記他方係止片は、前記湾曲部の他端と前記開閉体の表面とが接触した場合において前記延長部と干渉し合う長さに形成されていて前記樹脂カバー部材の開閉体幅方向の移動を規制することを特徴とする請求項２又は請求項３に記載の開閉装置のガイド手段。
【請求項５】
前記湾曲部は、前記湾曲表面を覆うカバー部と、前記突出面を収容する空間を形成する除去部とを備え、前記樹脂カバー部材が金属本体部に取り付けられた状態において、前記突出面が前記カバー部の表面よりも突出しないように形成されたことにより、前記接触防止部が構成されたことを特徴とする請求項２乃至請求項４のいずれか一項に記載の開閉装置のガイド手段。
【請求項６】
開口部を開閉する金属製の開閉体の両端部をガイドするガイドレールと前記開閉体が収容される開閉体収容ケースとの連結部分に設けられて前記ガイドレールに引き続き前記開閉体の両端部をガイドするガイド手段の金属本体部に取り付けられるガイド手段用の樹脂カバー部材であって、
前記金属本体部に設けられて前記開閉体の表面より離れる方向に湾曲する湾曲表面を覆うとともに、前記湾曲表面より当該湾曲表面よりも前記開閉体の表面に近付く方向に突出するように設けられた突出面と前記開閉体の表面との接触を防止する湾曲部を備えたことを特徴とする樹脂カバー部材。
【発明の詳細な説明】
【技術分野】
【０００１】
本発明は、ガイドレールに引き続き開閉体の両端部をガイドする開閉装置のガイド手段等に関する。
【背景技術】
【０００２】
住宅、ビル、倉庫等の建物の出入り口等の開口部に設置される開閉装置としてのシャッター装置が知られている。このシャッター装置において、ガイドレールに引き続きシャッターカーテン（開閉体）の両端部をガイドする案内部材（ガイド手段）を備えたものが知られている。
【先行技術文献】
【特許文献】
【０００３】
【特許文献１】特開２００４−２３２３９９号公報
【発明の概要】
【発明が解決しようとする課題】
【０００４】
しかしながら、特許文献１では、案内部材の湾曲ガイド片の全体を合成樹脂により形成したので、湾曲ガイド片自体の強度が弱くなり、シャッターカーテンと湾曲ガイド片とが衝突を繰り返すことにより、湾曲ガイド片が湾曲ガイド片以外の部分（以下、土台部という）より外れやすくなったり、湾曲ガイド片と土台部との結合部が壊れやすくなってしまう可能性があった。
本発明は、上記課題に鑑み、強度を向上できるとともに開閉体（シャッターカーテン）との接触音の低減を図れるガイド手段等を提供する。
【課題を解決するための手段】
【０００５】
本発明に係る開閉装置のガイド手段は、開口部を開閉する金属製の開閉体の両端部をガイドするガイドレールと前記開閉体が収容される開閉体収容ケースとの連結部分に設けられて前記ガイドレールに引き続き前記開閉体の両端部をガイドする開閉装置のガイド手段において、戸当たりを形成する一対の金属本体部と、前記金属本体部に取り付けられた樹脂カバー部材とを備え、前記金属本体部が湾曲ガイド部を備え、前記湾曲ガイド部は、一端側が前記開閉体の表面より離れる方向に湾曲する湾曲表面と、前記湾曲表面より当該湾曲表面よりも前記開閉体の表面に近付く方向に突出する突出面とを備え、前記樹脂カバー部材は、前記湾曲表面を覆うとともに前記開閉体の表面と前記突出面との接触を防止する接触防止部を備えたことを特徴とする。
前記金属本体部が前記ガイドレールの開閉体収容ケース側の一端を止める規制部を備え、前記樹脂カバー部材は、前記湾曲表面を覆う湾曲部と、前記湾曲部の湾曲方向一端側に設けられて前記湾曲表面の一端側において前記湾曲表面の湾曲裏面に係止する一方係止片と、前記湾曲部の湾曲方向他端側に設けられて前記規制部に係止する他方係止片とを備えたことも特徴とする。
前記樹脂カバー部材の前記湾曲部の他端と前記開閉体の表面との間の最大離間距離ａと前記規制部に係止する前記他方係止片の係止長さｂとの関係が、ａ＜ｂであることも特徴とする。
前記金属本体部の前記突出面は、前記規制部よりも前記ガイドレール側に延長する延長部を備え、前記他方係止片は、前記湾曲部の他端と前記開閉体の表面とが接触した場合において前記延長部と干渉し合う長さに形成されていて前記樹脂カバー部材の開閉体幅方向の移動を規制することも特徴とする。
前記湾曲部は、前記湾曲表面を覆うカバー部と、前記突出面を収容する空間を形成する除去部とを備え、前記樹脂カバー部材が金属本体部に取り付けられた状態において、前記突出面が前記カバー部の表面よりも突出しないように形成されたことにより、前記接触防止部が構成されたことも特徴とする。
本発明に係る樹脂カバー部材は、開口部を開閉する金属製の開閉体の両端部をガイドするガイドレールと前記開閉体が収容される開閉体収容ケースとの連結部分に設けられて前記ガイドレールに引き続き前記開閉体の両端部をガイドするガイド手段の金属本体部に取り付けられるガイド手段用の樹脂カバー部材であって、前記金属本体部に設けられて前記開閉体の表面より離れる方向に湾曲する湾曲表面を覆うとともに、前記湾曲表面より当該湾曲表面よりも前記開閉体の表面に近付く方向に突出するように設けられた突出面と前記開閉体の表面との接触を防止する湾曲部を備えたことを特徴とする。
【発明の効果】
【０００６】
本発明に係る開閉装置のガイド手段によれば、戸当たりを形成する一対の金属本体部と、金属本体部に取り付けられた樹脂カバー部材とを備え、樹脂カバー部材は、金属本体部の湾曲表面を覆うとともに開閉体の表面と金属本体部の突出面との接触を防止する接触防止部を備えるので、金属本体部と樹脂カバー部材とにより従来の湾曲ガイド片に相当する部位を形成でき、当該部位の強度を強くできるとともに、開閉体との接触音の低減を図れる。
金属本体部が規制部を備え、樹脂カバー部材は、湾曲部と、一方係止片と、他方係止片とを備えたので、金属本体部に対する樹脂カバー部材の取り付け安定性が向上する。
最大離間距離ａと他方係止片の係止長さｂとの関係を、ａ＜ｂとしたので、樹脂カバー部材が金属本体部から外れてしまうことを防止できる。
金属本体部が延長部を備え、他方係止片は、湾曲部の他端と前記開閉体の表面とが接触した場合において前記延長部と干渉し合う長さに形成されているので、樹脂カバー部材の開閉体幅方向の移動を規制できる。
湾曲部は、カバー部と除去部とを備え、樹脂カバー部材が金属本体部に取り付けられた状態において、突出面がカバー部の表面よりも突出しないように形成されたことにより、接触防止部が構成されたので、開閉体との接触音を低減できるとともに、除去部の開口縁が突出面と接触することで、樹脂カバー部材の開閉体幅方向の移動を規制できるようになる。
本発明のガイド手段用樹脂カバー部材によれば、従来の湾曲ガイド片に相当する部位を形成でき、当該部位の強度を強くできるとともに、開閉体との接触音の低減を図れるガイド手段を形成できるようになる。
【図面の簡単な説明】
【０００７】
【図１】シャッター装置の斜視図（実施形態１）。
【図２】シャッターケースの断面図（図１のＡ−Ａ断面図）（実施形態１）。
【図３】シャッターケースの骨組構成体を示す斜視図（実施形態１）。
【図４】ガイド手段とその周囲構成の斜視図（実施形態１）。
【図５】ガイド手段とその周囲構成の分解斜視図（実施形態１）。
【図６】金属本体部を示す図であり、（ａ）は正面図、（ｂ）は底面図、（ｃ）はＢ−Ｂ断面図（実施形態１）。
【図７】樹脂カバー部材を示す斜視図（実施形態１）。
【図８】樹脂カバー部材を示す図であり、（ａ）は正面図、（ｂ）は背面図、（ｃ）はＣ−Ｃ断面図（実施形態１）。
【図９】ガイド手段とシャッターカーテンとの関係を示す図（実施形態１）。
【発明を実施するための形態】
【０００８】
実施形態１
図１に示すように、開閉装置としてのシャッター装置１は、開閉体収容ケースとしてのシャッターケース（以下、ケースと略す）２、開閉機構３、開閉体としてのシャッターカーテン４、ガイドレール５を備える。
【０００９】
ケース２は、開閉機構３及びシャッターカーテン４を収容し、建物の開口部１３の上方に位置する躯体１４に固定される。ガイドレール５；５は、開口部１３を開閉するシャッターカーテン４の側端部４ａ；４ａ（両端部）をガイドする部材であって、開口部１３の開口幅方向（左右方向）に互いに離隔して開口部１３の左；右にそれぞれ立設され、開口部１３の上下方向に延長するガイド溝５ａ；５ａを備える。シャッターカーテン４におけるスラット部材１０ａの長手方向の両端部であるシャッターカーテン４の左右の側端部４ａ；４ａが、ガイドレール５；５の相対向するガイド溝５ａ；５ａを介して、シャッターカーテン４の開閉方向である上下方向にガイドされることで、シャッターカーテン４が上下方向に移動して開口部１３を開閉する。即ち、シャッター装置１のシャッターカーテン４が巻取シャフト６に巻き取られることで建物の開口部１３が開通し、シャッターカーテン４が巻取シャフト６から繰り出される（巻き出される）ことで開口部１３が閉鎖される。図２中、想像線で示した円図形Ｆは、巻取シャフト６でシャッターカーテン４が完全に巻き取られた状態を示す。
【００１０】
ケース２内に設けられる開閉機構３は、シャッターカーテン４を巻き取る巻取シャフト６と、巻取シャフト６の回転中心線６ａを回転中心として当該巻取シャフト６を回転させる図外の回転作動機構とを備える。
回転作動機構は、手動式シャッター装置の場合は、巻取シャフト６を巻取方向に回転させる図外のバネ及びバネに蓄えられた回転力を巻取シャフト６に伝達するプーリーのような動力伝達手段などにより構成され、電動式シャッター装置の場合は、巻取シャフト６を巻取方向及び繰出方向に回転させる図外の電動機及び電動機の回転力を巻取シャフト６に伝達する歯車伝達機構のような動力伝達機構などにより構成される。
巻取シャフト６は、両端がケース２の後述するブラケット（端部構成体２２）に設けられた図外の軸受に回転可能に支持され、シャッターカーテン４を巻き取る方向、及び、シャッターカーテン４を繰り出す方向（巻き出す方向）に回転する。
【００１１】
シャッターカーテン４は、スラット１０と水切１１と吊元１２とを備え、スチール等の金属により形成される。
スラット１０は、複数のスラット部材１０ａにより形成される。スラット部材１０ａは、巻取シャフト６の中心線６ａに沿った方向に長い長尺部材により形成される。スラット１０は、複数のスラット部材１０ａがスラット部材１０ａの長手方向（スラット部材１０ａの長辺に沿った方向）と直交する方向に連続するように、隣り合うスラット部材１０ａ同士の長手方向の両端位置を揃えて長辺同士が係合部１０ｊ（図２参照）によって互いに接続され、接続部分で折れ曲がり可能となった矩形板状に形成される。
水切１１がスラット１０におけるスラット部材１０ａの長手方向と直交する方向の一端に位置されるスラット部材１０ａの長辺に連結され、吊元１２がスラット１０におけるスラット部材１０ａの長手方向と直交する方向の他端に位置されるスラット部材１０ａの長辺に連結される。
水切１１は、巻取シャフト６の中心線６ａに沿った方向に長く、長手方向（水切１１の長辺に沿った方向）と直交する断面形状が逆Ｔ字形状の長尺部材により形成され、下端に位置する断面逆Ｔ字の横辺に相当する部分が水平部１１ｂとなる。水切１１の長手方向の長さはスラット部材１０ａの長手方向の長さよりも短く、水切１１の長手方向の中心位置とスラット部材１０ａの長手方向の中心位置とを揃えて水切１１の逆Ｔ字の垂直部１１ａの長辺とスラット１０の一端に位置されるスラット部材１０ａの長辺とが図外の係合部によって互いに接続される。
吊元１２は、スラット１０の他端に位置されるスラット部材１０ａの長辺に沿って当該長辺に間欠的に設けられる連結板であり、後述するように建物の開口部１３の上方に位置する躯体１４に固定されたケース２におけるシャッターカーテン４の出口孔４５を経由して巻取シャフト６に連結される。
【００１２】
ケース２は、開閉機構３及びシャッターカーテン４の収容空間２０ａを形成する箱体２０と、左右のガイドレール５；５の上端部に位置するよう箱体２０に設けられて左右のガイドレール５；５の上方においてシャッターカーテン４の左右の側端部４ａ；４ａをガイドするガイド手段３０；３０とを備える。
【００１３】
箱体２０は、開口部１３の上方に位置する躯体１４に固定される。例えば、開口部１３の上縁１３ｔに沿って延長するように開口部１３の上方に位置する躯体１４に図外のねじのような固定具や溶接等の固定手段により固定される。箱体２０の開口部１３の上縁１３ｔに沿って延長する方向である長手方向の長さは、開口部１３の左開口縁と右開口縁との間の長さである開口幅長さと対応する長さに形成される。ケース２は、箱体２０の長手方向（ケース２内に回転可能に取り付けられる巻取シャフト６の中心線６ａに沿った方向）の両端部の位置と開口部１３の開口幅方向の両端部に設けられたガイドレール５；５の位置とが対応するように躯体１４に固定される。箱体２０は、長手方向と直交する断面形状が例えば四角形状である。
【００１４】
以下、一例として、長手方向と直交する断面形状が台形状に形成された箱体２０を備えたケース２について詳細に説明する。
【００１５】
図１乃至図３に示すように、箱体２０は、骨組構成体２１と、カバー板２２ａとにより構成される。
図３に示すように、骨組構成体２１は、箱体２０の長手方向の両端に設けられるブラケットと呼ばれる一対の端部構成体２２；２２と、互いに対向するように配置された一対の端部構成体２２；２２を繋ぐ複数の補強材２３；２３…とにより構成される。
端部構成体２２は、箱体２０の長手方向の両端の端面を形成する台形状の端面板２４と、端面板２４の台形状に各辺より端面板２４に対して直角に延長するように設けられて端面板２４の周縁を囲む壁を形成する周縁壁部２５とを備える。
端面板２４の台形は、上底２６の一端と下底２７の一端とを繋ぐ一方の辺２８が上底２６及び下底２７に対して直交な辺である。この一方の辺２８を水平面に設置し、上底２６及び下底２７が水平面より垂直に立ち上がる状態に端面板２４を設置した場合、上底２６の他端と下底２７の他端とを繋ぐ他方の辺２９は、下底２７の他端から上底２６の他端に傾斜して下る辺となる。
周縁壁部２５は、端面板２４の台形の上底２６より延長する上底側壁部２５ａと、端面板２４の台形の一方の辺２８より延長する一方辺側壁部２５ｂと、端面板２４の台形の下底２７より延長する下底側壁部２５ｃと、端面板２４の台形の他方の辺２９より延長する他方辺側壁部２５ｄとを備える。
【００１６】
図５に示すように、一方辺側壁部２５ｂは、下底２７側が除去されている。この一方辺側壁部２５ｂの下底２７側の除去された空間を囲む、下底側壁部２５ｃの一方の辺２８側に位置する一端部２５ｕと、端面板２４の台形の一方の辺２８の辺縁部２８ａと、一方辺側壁部２５ｂの下底２７側の一端部２５ｎとにより、ガイド手段３０を構成する一対のガイド部材３１；３１を端部構成体２２に取り付けるための取付部４０が構成される。
図４に示すように、ガイド手段３０を構成する一対のガイド部材３１；３１の金属本体部３２；３２が当該取付部４０に溶接によって連結される。
【００１７】
補強材２３としては、延長方向と直交する断面形状が略Ｃ字形状に形成されたリップ溝形鋼、あるいは、アルミ製やステンレス製でリップ溝形鋼と同じ形状に形成された長尺材、あるいは、延長方向と直交する断面形状が矩形状に形成された長尺材が用いられる。例えば、補強材２３は、図２；３に示すように、長尺板状の基部２３ａと、基部２３ａの各長辺より同一方向に基部２３ａに対して直角に延長する長尺板状の側部２３ｂ；２３ｂと、各側部２３ｂ；２３ｂの先端の長辺より互いに近付く方向に各側部２３ｂ；２３ｂに対して直角に延長して基部２３ａと平行に対向する長尺板状の対向部２３ｃ；２３ｃとを備え、対向部２３ｃ；２３ｃ間が長尺な開口２３ｄに形成され、長手方向の両端が開口した構成である。
【００１８】
図３に示すように、互いに対向するように配置された各端部構成体２２；２２の各周縁壁部２５；２５の各角部、つまり、各端面板２４；２４の台形の４つの角部に補強材２３の両端が位置するように、４本の補強材２３が各端部構成体２２；２２間において互いに平行に掛け渡される。さらに、台形の一方の辺２８における下底２７の一端に近い側同士を繋ぐ補強材２３が設けられる。各補強材２３の両端部と各周縁壁部２５とは、溶接又は図外の止めねじにより連結される。
【００１９】
以上のように、骨組構成体２１は、互いに対向するように配置された各端部構成体２２；２２間に互いに平行に掛け渡された５本の補強材２３間が開口となった構成である。
【００２０】
以下、各端面板２４；２４の台形の一方の辺２８と台形の下底２７との境界部分に連結される補強材２３を第１補強材２３Ａ、各端面板２４；２４の台形の一方の辺２８における中央部よりも下底２７端に近い部分に連結される補強材２３を第２補強材２３Ｂ、各端面板２４；２４の台形の一方の辺２８と台形の上底２６との境界部分に連結される補強材２３を第３補強材２３Ｃ、各端面板２４；２４の台形の他方の辺２９と台形の上底２６との境界部分に連結される補強材２３を第４補強材２３Ｄ、各端面板２４；２４の台形の他方の辺２９と台形の下底２７との境界部分に連結される補強材２３を第５補強材２３Ｅとする。
【００２１】
第１補強材２３Ａの両端部は、一対のガイド部材３１；３１のうちの一方のガイド部材３１における後述する金属本体部３２のベース部３４上に載置され、第２補強材２３Ｂの両端部は、一対のガイド部材３１；３１のうちの他方のガイド部材３１における金属本体部３２のベース部３４上に載置される。
【００２２】
図２に示すように、カバー板２２ａは、第１カバー板２２ｂ、第２カバー板２２ｃ、第３カバー板２２ｄ、第４カバー板２２ｅ、一対の座板止めカバー板７７；７７により構成される。
骨組構成体２１の両端の各周縁壁部２５の先端間において各補強材２３間の開口を塞ぐため各カバー板が取り付けられる。即ち、骨組構成体２１の外側から第１補強材２３Ａと第５補強材２３Ｅとの間の開口を塞ぐように第１カバー板２２ｂが第１補強材２３Ａと第５補強材２３Ｅとに図外の止めねじなどで取り付けられる。また、骨組構成体２１の外側から第５補強材２３Ｅと第４補強材２３Ｄとの間の開口を塞ぐように第２カバー板２２ｃが第５補強材２３Ｅと第４補強材２３Ｄとに図外の止めねじなどで取り付けられる。また、骨組構成体２１の外側から第４補強材２３Ｄと第３補強材２３Ｃとの間の開口を塞ぐように第３カバー板２２ｄが第４補強材２３Ｄと第３補強材２３Ｃとに図外の止めねじなどで取り付けられる。また、骨組構成体２１の外側から第３補強材２３Ｃと第２補強材２３Ｂとの間の開口を塞ぐように第４カバー板２２ｅが第３補強材２３Ｃと第２補強材２３Ｂとに図外の止めねじなどで取り付けられる。各カバー板２２ｂ〜２２ｅの外面と各周縁壁部２５の外面とが面一となるように各カバー板２２ｂ〜２２ｅが補強材２３に取り付けられる。
【００２３】
また、骨組構成体２１の外側から第２補強材２３Ｂと第１補強材２３Ａとの間を覆うようにシャッターカーテン４の出口孔７５と水切１１の水平部１１ｂを収納する収納凹部７６とを形成する一対の座板止めカバー板７７；７７がそれぞれ第２補強材２３Ｂ及び第１補強材２３Ａに図外の止めねじなどで取り付けられる。これにより、座板止めカバー板７７の長手方向両端にガイド手段３０を構成する各ガイド部材３１；３１が位置することになる。一対の座板止めカバー板７７；７７は、シャッターカーテン４の出口孔７５及び水平部１１ｂを収納する収納凹部７６が、第１補強材２３Ａ；第２補強材２３Ｂに沿って連続して延長するように形成される。
【００２４】
尚、ケース２の組み立ては、シャッターカーテン４を巻き付けた巻取シャフト６の両端に端面板２４の図外の軸受を対応させ、各端部構成体２２；２２にガイド手段３０を溶接などで固定するとともに、端面板２４；２４間に複数の補強材２３を配置して固定する。この際、シャッターカーテン４の水切１１を骨組構成体２１の外側に出しておく。そして、一対の座板止めカバー板７７；７７を第２補強材２３Ｂ及び第１補強材２３Ａに取り付け、さらに、各カバー板２２ｂ〜２２ｅを各補強材２３に取り付ける。尚、電動式シャッター装置の場合は、一方の端面板２４に図外のモータなどを取り付ける。
【００２５】
以上の構成からなるケース２は、第１カバー板２２ｂの板面を躯体１４に向けて第１カバー板２２ｂの板面と躯体１４とを接するように対向させた状態で、端部構成体２２；２２の台形の下底２７より延長する下底側壁部２５ｃ；第１補強材２３Ａ；第５補強材２３Ｅなどが溶接又は図外のねじ等の固定手段によって躯体１４に取り付けられる。これにより、第２カバー板２２ｃが上カバー板となり、上カバー板の上面が箱体２０の上面２０ｔとなる。尚、上カバー板の第５補強材２３Ｅ側の辺縁部には、躯体１４の面に面接触させるための当板２０ｙが溶接などで取り付けられる。第４カバー板２２ｅ及び座板止めカバー板７７；７７が下カバー板となり、下カバー板の下面が箱体２０の下面２０ｕとなる。そして、第１；第２補強材２３Ａ；２３Ｂは、シャッターカーテン４の出口孔７５を構成する開口の見切部材であるまぐさとして機能する。第１補強材２３Ａは外まぐさ、第２補強材２３Ｂは内まぐさと呼ばれる。
【００２６】
次に、図４乃至図９を参照し、ガイド手段３０について詳説する。
ガイド手段３０は、ガイドレール５；５とケース２との連結部分に設けられてガイドレール５；５に引き続きシャッターカーテン４の側端部４ａ；４ａ（両端部）をガイドする手段である。
図４に示すように、ガイド手段３０は、一対のガイド部材３１；３１により形成される。
図５に示すように、ガイド部材３１は、スチールなどの金属により形成された金属本体部３２と、硬質ポリエチレン等の合成樹脂により形成されて金属本体部３２に取り付けられる樹脂カバー部材３３とから構成される。
【００２７】
金属本体部３２は、ベース部３４と、ガイドレール５の上端部５ｔを収容する収容部３５と、湾曲ガイド部３６と、ジョイント部３７とを備える。
【００２８】
ベース部３４は、端面板２４の一方の辺２８の辺縁部２８ａに溶接により連結される直線状の第１の端縁４１と、第１の端縁４１と隣り合って第１の端縁４１に対して直角な直線状の第２の端縁４２と、第２の端縁４２と隣り合って第１の端縁４１と平行な直線状の第３の端縁４３と、第２の端縁４２と対向する折れ線状の第４の端縁４４とを備えた平板により形成される。
【００２９】
収容部３５は、ベース部３４の第４の端縁４４よりベース部３４の板面と垂直に延長する平板により形成された立ち上がり部４５と、上規制部４６とを備える。尚、板面とは、板において面積の一番大きい面を言う。
立ち上がり部４５は、収容部３５内に収容されたガイドレール５の上端部５ｔの前後方向（シャッターカーテン４の厚さ方向）の動きを規制する前後規制部４７と、収容部３５内に収容されたガイドレール５の上端部５ｔの左右方向（箱体２０の長手方向）の動きを規制する左右規制部４８とを備える。
前後規制部４７は、第２の端縁４２と平行な平板により形成され、第１の端縁４１と同一平面上から第３の端縁４３の方向にガイドレール５の左右幅に対応する長さ分だけ延長する。左右規制部４８は、前後規制部４７の第３の端縁４３側の端より第３の端縁４３の方向に向けて第２の端縁４２側とは反対方向に傾斜して延長する。
上規制部４６は、立ち上がり部４５の先端（上端）４５ａより第２の端縁４２側とは反対方向に延長して立ち上がり部４５の板面と垂直な平板により形成される。当該上規制部４６は、ガイドレール５の上端（ケース２側の一端）を止める規制部として機能する。
【００３０】
湾曲ガイド部３６は、上規制部４６の先端４６ａより湾曲して立ち上がる平板により形成される。湾曲ガイド部３６の湾曲形態は、平板が上規制部４６の先端４６ａよりベース部３４から離れる方向に立ち上がって第２の端縁４２のある方に向かうように反る形態である。即ち、第２の端縁４２側を円の中心とした円弧状の湾曲である。湾曲ガイド部３６の左右の端部の位置は、前後規制部４７の左右の端部の位置と対応する。湾曲ガイド部３６において、ベース部３４と向かい合う面を裏面とし、この裏面と反対側の面を表面４９とした場合、湾曲ガイド部３６の表面４９は、湾曲表面５１と湾曲表面５１よりも突出する突出面５２とを備える。湾曲表面５１の裏面が湾曲裏面５８となる。つまり、湾曲ガイド部３６は、一端側がシャッターカーテン４の表面より離れる方向に湾曲する湾曲表面５１と、湾曲表面５１より当該湾曲表面５１よりもシャッターカーテン４の表面に近付く方向に突出する突出面５２とを備える。
【００３１】
突出面５２は、湾曲ガイド部３６の表面４９において端面板２４に近い側となる一方側縁５５と当該一方側縁５５と平行に対向する他方側縁５６との間における中央位置よりも他方側縁５６に近い位置に設けられ、湾曲ガイド部３６の湾曲方向に沿って延長するように設けられる。突出面５２は、湾曲ガイド部３６の固定端（基端）５３側の端部（他端）５２ａが固定端５３よりもベース部３４側に突出し、湾曲ガイド部３６の自由端（先端）５７側の端部（一端）５２ｂが自由端５７まで到達しない構成である。即ち、突出面５２は、湾曲ガイド部３６の固定端５３よりもベース部３４側に突出してガイドレール５の内側に位置されることになる垂れ下がり部５４を備える。
【００３２】
ジョイント部３７は、湾曲ガイド部３６の他方側縁５６と上規制部４６の先端４６ａと左右規制部４８の先端４８ａと第４の端縁４４とから第３の端縁４３と同一平面上の位置まで延長し、かつ、ベース部３４の板面と垂直な板により形成される。ジョイント部３７の立ち上がり方向（立ち上がり部４５の立ち上がり方向）の長さ寸法は、ベース部３４から上規制部４６までの高さ距離よりも長く、かつ、ベース部３４から湾曲ガイド部３６の自由端５７までの高さ距離よりも低い。
【００３３】
突出面５２は、例えば、収容部３５、湾曲ガイド部３６、ジョイント部３７を形成するための平板材に垂れ下がり部５４を形成するための切り込み５９を形成しておき、突出面５２を形成する部分において一方の板面側からプレス加工して他方の板面を隆起させることで形成する。また、収容部３５、湾曲ガイド部３６、ジョイント部３７を折曲加工により形成する。このように収容部３５、湾曲ガイド部３６及びジョイント部３７が形成された加工物と、ベース部３４となる平板とを溶接により連結することで金属本体部３２を製作可能である。また、専用の成形型を用いて金属本体部３２を製作することも可能である。
【００３４】
各端部構成体２２；２２には、それぞれ一対の金属本体部３２；３２が溶接により連結される。即ち、一対の一対の金属本体部３２；３２は、端面板２４の板面と一方辺側壁部２５ｂの板面とに直交する面を基準として面対称となるように配置可能な形状に形成される。
つまり、金属本体部３２は、上述したように面対称に配置される二種類の一対の金属本体部３２；３２により構成され、一対の金属本体部３２；３２は、湾曲ガイド部３６；３６の表面４９；４９同士が互いに向き合い、湾曲ガイド部３６；３６の固定端５３；５３間の距離よりも湾曲ガイド部３６；３６の自由端５７；５７間の距離の方が長くなるように設置される。
このように、端部構成体２２に取り付けられた一対の金属本体部３２；３２による構成は、通称、戸当たりと呼ばれている。
【００３５】
具体的には、一対の金属本体部３２；３２のうちの一方の金属本体部３２は、第１の端縁４１と端面板２４の一方の辺２８の辺縁部２８ａとが溶接により連結され、第２の端縁４２と端部構成体２２の下底側壁部２５ｃにおける一方の辺２８側の一端部２５ｕとが溶接により連結される。また、一対の金属本体部３２；３２のうちの他方の金属本体部３２は、第１の端縁４１と端面板２４の一方の辺２８の辺縁部２８ａとが溶接により連結され、第２の端縁４２と端部構成体２２の一方辺側壁部２５ｂにおける下底２７側の一端部２５ｎとが溶接により連結される。
【００３６】
樹脂カバー部材３３は、湾曲ガイド部３６の表面４９のうち突出面５２を除いた湾曲表面５１を覆うことが可能なように形成された部材であり、湾曲ガイド部３６の湾曲形状に対応した湾曲形状に形成されて突出面５２に対応する部分が除去された突出面５２を収容する空間を形成する除去部６１を有した湾曲カバー部６２と、湾曲カバー部６２の湾曲方向一端６２ａ側に設けられて湾曲ガイド部３６の自由端５７側の湾曲裏面５８に係止する一方係止片６３と、湾曲カバー部６２の湾曲方向他端６２ｂ側に設けられて湾曲ガイド部３６の固定端５３側に係止する他方係止片６４とを備える。湾曲カバー部６２の表面が湾曲表面６６となり、湾曲カバー部６２の裏面が湾曲ガイド部３６の湾曲表面５１と接する湾曲裏面６５となる。
【００３７】
一方係止片６３は、湾曲カバー部６２の湾曲方向一端６２ａより湾曲方向他端６２ｂ側に折り返すように延長して湾曲ガイド部３６の湾曲裏面５８に係止し、湾曲カバー部６２の湾曲方向一端６２ａ側の湾曲裏面６５と平行に対向して当該湾曲裏面６５とで湾曲ガイド部３６の自由端５７側を挟み込む係止片により形成される。
除去部６１は、湾曲カバー部６２の湾曲方向他端６２ｂに到達して湾曲方向一端６２ａに到達しない切欠開口で区画された空間により形成され、樹脂カバー部材３３が湾曲ガイド部３６に取り付けられた場合に当該空間内に突出面５２が収容される。
他方係止片６４は、湾曲カバー部６２の除去部６１の両側に位置する湾曲方向他端６２ｂ；６２ｂより湾曲カバー部６２の湾曲裏面６５側に折れ曲がるように延長して上規制部４６の下面となる内面４６ｕに係止する係止面を備えた係止片により形成される。
【００３８】
湾曲カバー部６２の湾曲面（湾曲裏面６５及び湾曲表面６６）が平面に近付くように樹脂カバー部材３３の他方係止片６４側を撓ませて、湾曲ガイド部３６の自由端５７側を一方係止片６３と湾曲カバー部６２の湾曲裏面６５との間に嵌め込んだ後に、他方係止片６４側の撓みを解消させることで、他方係止片６４が樹脂カバー部材３３の弾性により上規制部４６の内面４６ｕに係止するので、樹脂カバー部材３３が湾曲ガイド部３６に取り付けられる。
【００３９】
樹脂カバー部材３３の湾曲した湾曲裏面６５と湾曲ガイド部３６の湾曲表面５１とが接触するように樹脂カバー部材３３が湾曲ガイド部３６に取り付けられたことで、各ガイド部材３１；３１が構成される。
ガイド部材３１は、図９に示すように、樹脂カバー部材３３の湾曲表面６６が湾曲ガイド部３６の突出面５２よりもシャッターカーテン４側に突出する。
即ち、樹脂カバー部材３３の湾曲カバー部６２により湾曲ガイド部３６の湾曲表面５１が覆われ、かつ、湾曲カバー部６２で覆われていない湾曲ガイド部３６の突出面５２が樹脂カバー部材３３の湾曲表面６６よりもシャッターカーテン４側に突出しない構成のガイド部材３１となる。
【００４０】
つまり、実施形態１の樹脂カバー部材３３は、湾曲ガイド部３６の湾曲表面５１を覆うカバー部としての湾曲カバー部６２と突出面５２を収容する空間を形成する除去部６１とを有した湾曲部６０と、一方係止片６３と、他方係止片６４とを備え、湾曲ガイド部３６に取り付けられた状態において、突出面５２が湾曲カバー部６２の表面よりも突出しないように形成されたことにより、シャッターカーテン４の表面と突出面５２との接触を防止する接触防止部を構成する。
【００４１】
このように一対のガイド部材３１；３１により構成されたガイド手段３０を箱体２０の長手方向の両端部にそれぞれ備えたケース２が構成される。この場合、一対のガイド部材３１；３１の樹脂カバー部材３３；３３間にシャッターカーテン４の左右の側端部４ａ；４ａが位置されることになる。
【００４２】
開口部１３の開口幅方向の両端部に設けられた各ガイドレール５；５の上端部５ｔと、ケース２の長手方向両端部に設けられた各ガイド手段３０；３０とを対応させ、そして、ガイド手段３０を構成する一対のガイド部材３１；３１の各収容部３５と端面板２４とで囲まれた空間内にガイドレール５の上端部５ｔが嵌め込まれた状態で、上述のように、ケース２を躯体１４に取り付けることでシャッター装置１が構築される。
【００４３】
このようにシャッター装置１が構築された場合、ガイドレール５の上下方向（開口部１３の上下方向）の移動がガイド手段３０の各上規制部４６；４６により規制され、ガイドレール５の前後方向（開口部１３を閉鎖するシャッターカーテン４の厚さ方向）の移動がガイド手段３０の各前後規制部４７；４７により規制され、ガイドレール５の左右方向（開口部１３の左右の幅方向）の移動が端面板２４とガイド手段３０の各左右規制部４８；４８とにより規制されることになる。
【００４４】
上述のようにシャッター装置１が構築された状態において、図９に示すように、樹脂カバー部材３３の湾曲表面６６が湾曲ガイド部３６の突出面５２よりもシャッターカーテン４側に突出するので、シャッターカーテン４と樹脂カバー部材３３の湾曲表面６６とが接触することがあっても、シャッターカーテン４と湾曲ガイド部３６の表面４９（突出面５２及び湾曲表面５１）とが接触することはなくなるので、シャッターカーテン４と湾曲ガイド部３６の突出面５２とのメタルタッチによる接触音の発生を防止でき、また、シャッターカーテン４と突出面５２との接触によってシャッターカーテン４の表面に傷が生じるようなことも防止できる。尚、スチールのような金属により形成されるガイドレール５のガイド溝５ａの開口縁には、開口縁とシャッターカーテン４の側端部４ａとのメタルタッチを防止するための合成樹脂製の長尺材５ｄが取り付けられている。
【００４５】
即ち、実施形態１によれば、戸当たりを形成する一対の金属本体部３２；３２と、金属本体部３２；３２に取り付けられた樹脂カバー部材３３；３３とを備え、樹脂カバー部材３３は、金属本体部３２の湾曲表面５１を覆うとともにシャッターカーテン４の表面と金属本体部３２の突出面５２との接触を防止する接触防止部を備えるので、金属本体部３２と樹脂カバー部材３３とにより従来の湾曲ガイド片に相当する部位を形成でき、当該部位の強度を強くできるとともに、シャッターカーテン４との接触音の低減を図れる金属本体部３２；３２と樹脂カバー部材３３とによるガイド手段３０及び樹脂カバー部材３３が得られる。
【００４６】
また、図９に示すように、樹脂カバー部材３３の湾曲裏面６５と湾曲ガイド部３６の湾曲表面５１とが接触するように樹脂カバー部材３３が湾曲ガイド部３６に取り付けられた状態において、一方の樹脂カバー部材３３の湾曲表面６６の湾曲方向他端６２ｂ（湾曲部６０の他端）と他方の樹脂カバー部材３３と接触した状態のシャッターカーテン４との間の距離ａと、樹脂カバー部材３３の湾曲裏面６５の湾曲方向他端６２ｂから他方係止片６４の先端６４ｔまでの距離ｂとの関係は、ａ＜ｂである。換言すれば、樹脂カバー部材３３の湾曲部６０の他端とシャッターカーテン４の表面との間の最大離間距離ａと上規制部４６の内面４６ｕに係止する他方係止片６４の係止長さｂとの関係が、ａ＜ｂである。
よって、何らかの要因で樹脂カバー部材３３の他方係止片６４側が一方係止片６３側を回転中心としてシャッターカーテン４に近付くように回転した場合でも、他方係止片６４と上規制部４６の内面４６ｕとの係止状態が解除される前に樹脂カバー部材３３の湾曲表面６６の湾曲方向他端６２ｂとシャッターカーテン４とが接触するので、他方係止片６４と上規制部４６の内面４６ｕとの係止状態が解除されて樹脂カバー部材３３が湾曲ガイド部３６から外れてしまうことを防止できる。
【００４７】
また、何らかの要因で樹脂カバー部材３３の他方係止片６４側が一方係止片６３側を回転中心としてシャッターカーテン４に近付くように回転し、樹脂カバー部材３３の湾曲方向他端６２ｂとシャッターカーテン４とが接触した状態において、他方係止片６４の先端６４ｔが垂れ下がり部５４の突出面５２よりもシャッターカーテン４から離れた所に位置するように他方係止片６４の長さ（＝距離ｂ）を設定したので、樹脂カバー部材３３の他方係止片６４側が一方係止片６３側を回転中心としてシャッターカーテン４に近付くように回転したとしても、他方係止片６４と垂れ下がり部５４とが接触するので、樹脂カバー部材３３のシャッターカーテン４の幅方向（開口部１３の幅方向）への位置ずれを防止できる。
換言すれば、突出面５２が、湾曲ガイド部３６の固定端５３よりもベース部３４側に突出することで上規制部４６よりも下方に延長しガイドレール５の内側に位置されることになる延長部としての垂れ下がり部５４を備え、他方係止片６４は、何らかの要因で樹脂カバー部材３３の他方係止片６４側が一方係止片６３側を回転中心としてシャッターカーテン４に近付くように回転し、樹脂カバー部材３３の湾曲方向他端６２ｂとシャッターカーテン４とが接触した状態において、垂れ下がり部５４と干渉し合う長さに形成されている。つまり、他方係止片６４と垂れ下がり部５４とが接触して樹脂カバー部材３３がシャッターカーテン４の幅方向に位置ずれしないように、樹脂カバー部材３３の湾曲裏面６５の湾曲方向他端６２ｂから他方係止片６４の先端６４ｔまでの距離ｂが設定されている。以上の構成により、樹脂カバー部材３３のシャッターカーテン幅方向の移動が規制される。
【００４８】
また、樹脂カバー部材３３は、湾曲カバー部６２の湾曲方向一端６２ａ側の湾曲裏面６５とで湾曲ガイド部３６の自由端５７側を挟み込む一方係止片６３を備えたので、湾曲裏面６５と一方係止片６３との挟み込みによって湾曲ガイド部３６に対する樹脂カバー部材３３の取り付けが安定する。よって、上記距離ａと距離ｂとの関係をａ＞ｂとした場合でも、樹脂カバー部材３３が湾曲ガイド部３６から外れにくくなる。このように上記距離ａと距離ｂとの関係をａ＞ｂとした場合、湾曲ガイド部３６に樹脂カバー部材３３を取り付ける際の樹脂カバー部材３３の撓ませ量を小さくできるので、湾曲ガイド部３６に対する樹脂カバー部材３３の取り付けが容易となる。
【００４９】
また、金属本体部３２が上規制部４６を備え、樹脂カバー部材３３は、湾曲部６０と、一方係止片６３と、他方係止片６４とを備えたので、金属本体部３２に対する樹脂カバー部材３３の取り付け安定性が向上する。
【００５０】
また、湾曲部６０は、湾曲カバー部６２と除去部６１とを備え、除去部６１の開口縁６１ａ；６１ａが突出面５２と接触することで、樹脂カバー部材３３のシャッターカーテン幅方向の移動を規制でき、金属本体部３２に対する樹脂カバー部材３３の外れ防止が図れる。
【００５１】
実施形態２
シャッターカーテン４の表面は塗装されている。実施形態２では当該塗装のための塗料として、ガラス転移温度が５０℃以上の塗料を用いる。従来は、シャッターカーテン４の表面は塗装するための塗料としてガラス転移温度が２０℃程度の塗料を用いていたため、シャッターカーテン４の周囲の温度が２０℃以上になると塗料が軟化し、その後、シャッターカーテン４の周囲の温度が２０℃以下になると塗料が硬化するので、当該軟化から硬化した塗料によりシャッターカーテンのスラット部材１０ａ同士が接着することがあり、この状態でシャッターカーテン４を開閉したり、シャッターカーテン４に何らかの外力が加わってシャッターカーテン４が揺れたりすると、スラット部材１０ａ同士の塗料による接着が剥離し、この際、音が発生する。実施形態２では当該塗装のための塗料として、ガラス転移温度が５０℃以上の塗料を用いたので、シャッターカーテン４の周囲の温度が５０℃以上にならない限り、塗料が軟化しない。即ち、通常の使用条件下においては、塗料が軟化しないので、上述した音の発生を防止できる。
【００５２】
上記では、突出面５２を覆わない樹脂カバー部材３３としたが、突出面５２を覆う樹脂カバー部材、即ち、湾曲ガイド部３６の表面４９をすべて覆う樹脂カバー部材としてもよい。
【００５３】
尚、ガイド手段３０の金属本体部３２は、ガイドレール５の上端部５ｔとケース２との連結部分に設けられればよい。例えば、ガイドレール５の上端部５ｔに取り付けられる構成の金属本体部であってもよい。また、ケース２が天井裏に設置される場合においては、シャッターカーテン４をケース２内にガイドできるように天井板に取り付けられる構成の金属本体部であってもよい。
また、金属本体部３２は、止めねじのような溶接以外の他の取付手段によりケース２等に取り付けられる構成のものでもよい。
【００５４】
箱体２０は、長手方向と直交する断面形状が三角形状、あるいは、多角形状に形成された構成でもよい。
箱体２０は、骨組構成体２１を形成する補強材として少なくも第２補強材２３Ｂ（内まぐさ）を備えた構成であればよい。
【００５５】
本発明の適用対象となる開閉装置の開閉体をシャッターカーテン４とした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
【００５６】
本発明は、ガイドレールを備え、このガイドレールに開閉体が案内されるようなブラインド、ロールスクリーン装置、防煙垂れ幕などの開閉装置にも適用可能である。
【符号の説明】
【００５７】
１  シャッター装置（開閉装置）、２  シャッターケース（開閉体収容ケース）、
４  シャッターカーテン（開閉体）、５  ガイドレール、１３  開口部、
３０  ガイド手段、３１  ガイド部材、３２  金属本体部、
３３  樹脂カバー部材、３６  湾曲ガイド部、４６  上規制部（規制部）、
５１  湾曲表面、５２  突出面、６０  湾曲部、
６２  湾曲カバー部（カバー部）、６３  一方係止片、６４  他方係止片。
【図１】
0005466959.tif 000002
【図２】
0005466959.tif 000003
【図３】
0005466959.tif 000004
【図４】
0005466959.tif 000005
【図５】
0005466959.tif 000006
【図６】
0005466959.tif 000007
【図７】
0005466959.tif 000008
【図８】
0005466959.tif 000009
【図９】
0005466959.tif 000010